(57)【要約】      （修正有）【課題】ルアー本体に回転揺動自在に取り付けられた釣り針がルアー本体を傷つけたり、ルアー本体の塗装を剥がしたり、さらには釣り針同士が絡まったり、釣り針がルアー本体に引っかかったりすることを完全に防ぐこと。【解決手段】フック部材、このフック部材上方に連接する軸部、軸部上方に形成されたリング係合用輪部からなり、ルアー本体５より垂下してなる回転揺動自在のルアー用釣り針２のフック部材上方外周に被着され、下方開口縁がフック部材上方外周に位置する管体からなることを特徴とするルアーの釣り針揺動規制用アタッチメント１。【選択図】図５
2010098961.tif 000002
【特許請求の範囲】
【請求項１】
フック部材、このフック部材上方に連接する軸部、該軸部上方に形成されたリング係合用輪部からなり、ルアー本体より垂下してなる回転揺動自在のルアー用釣り針の前記フック部材上方外周に被着され、下方開口縁が前記フック部材上方外周に位置する管体からなることを特徴とするルアーの釣り針揺動規制用アタッチメント。
【請求項２】
管体の下方開口縁が釣り針のリング係合用輪部外周に位置することを特徴とする請求項１記載のルアーの釣り針揺動規制用アタッチメント。
【請求項３】
管体の下方開口縁が釣り針の軸部外周に位置することを特徴とする請求項１記載のルアー。
【請求項４】
管体の下方を管体の上方に対して大径に形成してなることを特徴とする請求項１乃至請求項３のいずれかに記載のルアーの釣り針揺動規制用アタッチメント。
【請求項５】
管体の下方を管体の上方に対して小径に形成してなることを特徴とする請求項１乃至請求項３のいずれかに記載のルアーの釣り針揺動規制用アタッチメント。
【請求項６】
管体の上方にはリング係合用輪部が挿通可能なスリットが形成されてなることを特徴とする請求項１乃至請求項５のいずれかに記載のルアーの釣り針揺動規制用アタッチメント。
【請求項７】
管体はゴム、合成樹脂材等の弾性材料よりなることを特徴とする請求項１乃至請求項６のいずれかに記載のルアーの釣り針揺動規制用アタッチメント。
【発明の詳細な説明】
【技術分野】
【０００１】
本考案は、ルアー本体に回転揺動自在に取り付けられた釣り針の不必要な揺動（あばれ現象）を規制することを特徴とするルアーの釣り針揺動規制用アタッチメントに関する。
【背景技術】
【０００２】
図９、図１０に示すように釣りの擬似餌としてのルアーはルアー本体５の腹部や尾部にトリプルフック、ダブルフック等の魚掛け用フックからなる釣り針２が回転揺動自在に取り付けられている。ルアーの動きにつられて引き寄せられる魚はこのフック部材２１によりヒットされるのであるが、通常この種釣り針にあっては、魚を掛けるフック部材２１とこのフック部材２１の上方に連接された軸体２２、この軸体上方に形成されたリング係合用輪部２３からなる。そしてこの釣り針はルアー本体５に取付け固定されてリング係合用部４とリング３を介して接続され、ルアー本体５に対し全ての方向に回転揺動自在に取り付けられる。
【０００３】
尚、ルアー本体への傷を防止することを目的としたルアーとしては、特許文献１に所載のごとくルアー本体に対して粘着または熱収縮によりカバー体を接着したルアーが知られている。
【特許文献１】特表２００８−５００３０号公報
【発明の開示】
【発明が解決しようとする課題】
【０００４】
前述したように図９、図１０に示すルアーの釣り針は回転揺動自在な状態に取り付けられ所要の捕獲効果を発揮するものであるが、以下の問題点が存在する。
【０００５】
釣り針がフリーの状態で回転揺動することから、鋭利なフック部材がルアー本体に接触しルアーを傷つけたり、塗装を剥がしたりし、擬似餌としてのルアーの機能を損ねるとともに１つのルアーを長期間に亘って使用することができず絶えず交換することを余儀なくされた。
【０００６】
さらにこのような事情から、小さなルアーに対して大きな魚をヒットする可能性が高い大きな釣り針を使用することは困難であった。
【０００７】
またルアー本体の複数個所に釣り針が取付けられている場合には、釣り針同士が接触係合することもあり、また、ルアーに釣り針のフック部材が引っかかってしまう等の不慮の事態を生ずる事が多々あった。
【０００８】
そこで、本発明にあっては、ルアー本体に回転揺動自在に取り付けられた釣り針の不必要な揺動運動を規制することにより、釣り針がルアー本体を傷つけたり、ルアー本体の塗装を剥がしたり、さらには釣り針同士が絡まったり、あるいは釣り針がルアー本体に引っかかったりすることを完全に防ぐことを第一の目的とする。
【０００９】
本考案の第二の目的は、長期間に亘って使用していてもルアー本体が傷ついたり、塗装が剥がれたりすることなく、耐用性に富むとともに、小さなルアーにあっても大きな魚をヒットすることが可能な大きな釣り針を取り付け使用することができ、この種のルアーフィッシングの醍醐味をさらに満喫することのできるルアーの釣り針揺動規制用アタッチメントを提供することにある。
【課題を解決するための手段】
【００１０】
上述した課題を解決するため本願発明のルアーの釣り針揺動規制用アタッチメントは、フック部材、このフック部材上方に連接する軸部、該軸部上方に形成されたリング係合用輪部からなり、ルアー本体より垂下してなる回転揺動自在のルアー用釣り針の前記フック部材上方外周に被着され、下方開口縁が前記フック部材上方外周に位置する管体からなることを特徴とする。
【００１１】
管体の下方開口縁が釣り針のリング係合用輪部外周に位置することを特徴とする。
【００１２】
管体の下方開口縁が釣り針の軸部外周に位置することを特徴とする。
【００１３】
管体の下方を管体の上方に対して大径に形成してなることを特徴とする。
【００１４】
管体の下方を管体の上方に対して小径に形成してなることを特徴とする。
【００１５】
管体の上方にはリング係合用輪部が挿通可能なスリットが形成されてなることを特徴とする。
【００１６】
管体はゴム、合成樹脂体等の弾性材料によりなることを特徴とする。
【発明の効果】
【００１７】
上述した課題を解決するため本願発明のルアーの釣り針揺動規制用アタッチメントは、フック部材、このフック部材上方に連接する軸部、該軸部上方に形成されたリング係合用輪部からなり、ルアー本体より垂下してなる回転揺動自在のルアー用釣り針の前記フック部材上方外周に被着され、下方開口縁が前記フック部材上方外周に位置する管体からなることを特徴とすることにより、フック部材の不必要な揺動を規制し、鋭利なフック部材がルアーに接触し傷つけたり、塗装を剥がしたりしたりすることを防止することができ、さらには釣り針同士が絡まったり、あるいは釣り針がルアー本体に絡まったりすることを完全に防ぐことができる。したがって、長期間に亘って使用していてもルアー本体が傷ついたり、塗装が剥がれたりすることなく、耐用性に富むとともに、小さなルアーにあっても大きな魚をヒットすることが可能な大きな釣り針を取り付け使用することができる。
【００１８】
管体の下方開口縁が釣り針のリング係合用輪部外周に位置することにより、管体下縁部で釣り針の回動が規制され、集魚効果を発揮するに必要な釣り針の揺動は保持した状態で釣り針の不必要な揺動を規制することができる。
【００１９】
管体の下方開口縁が釣り針の軸部外周に位置することにより、釣り針の不必要な揺動をより規制することができる。
【００２０】
管体の下方を管体の上方に対して大径に形成してなることにより、集魚効果を発揮するに必要なフック部材の揺動は保持した状態で、釣り針の不必要な揺動を規制することができる。
【００２１】
管体の下方を管体の上方に対して小径に形成してなることにより釣り針の不必要な揺動をより規制することができる。
【００２２】
管体の上方にはリング係合用輪部が挿通可能なスリットが形成されてなることにより、ルアーの揺動規制用アタッチメントの取付けを容易に行うことができる。
【００２３】
管体はゴム、合成樹脂体等の弾性材料によりなることにより、ルアーの揺動規制用アタッチメントの取付けを容易に行うことができるとともに、ぴったりと釣り針を覆い、釣り針の不必要な揺動を完全に規制することができる。
【発明を実施するための最良の形態】
【００２４】
図１乃至図７は、本発明の第一の実施の形態を示すルアーの釣り針揺動規制用アタッチメントを示し、図１および図２は、本発明の第一の実施の形態のルアーの釣り針揺動規制用アタッチメントの斜視図、図３および図４は、図１に示すルアーの釣り針揺動規制用アタッチメントをフック部材に取り付けた状態を示す斜視図、図５乃至図７は図１に示すルアーの釣り針揺動規制用アタッチメントをルアー本体に取り付けた状態を示す図である。
【００２５】
図１および図２に示すルアーの釣り針揺動規制用アタッチメント１は、疑似餌の形状に形取られたルアー本体５に取り付けられた釣り針２の回転揺動を規制するためのアタッチメントであって、図３乃至図７に示すようルアー本体５よりリング係合用部４とリング３を介して垂下するフック部材２１、フック部材２１の上方に連接する軸部２２、軸部２２上方に形成されたリング係合用輪部２３からなる回転揺動自在の釣り針２のフック部材２上方外周に被着されて、下方開口縁１２がフック部材２１上方外周に位置するべく形成された管体からなる。
【００２６】
図１および図２に示すように、ルアーの釣り針揺動規制用アタッチメント１は、上方と下方が開口された筒状の管体であり、このルアーの釣り針揺動規制用アタッチメント１においては、管体の下方の開口縁１２が管体の上方に対して大径に形成されてなる内方がドーム状の釣り鐘型に形成されている。さらに、管体上方の上端１３には、ルアーの釣り針揺動規制用アタッチメント１被着時にリング係合用部４、リング３が挿通可能なスリット１４が形成されて開口し着脱自在になっている。そして、このルアーの釣り針揺動規制用アタッチメント１は、被着時にリング係合用部４、リング３を覆いその開口縁１２がリング係合用輪部２３外周に位置するように形成されている。
【００２７】
したがって、被着したときに、リング係合用部４、リング３の揺動が規制されるとともに開口縁１２により釣り針２の回動角度が規制され、集魚効果を発揮するに必要な釣り針の揺動は保持した状態で釣り針の不必要な揺動を規制することができるようになっている。尚、ルアーの釣り針揺動規制用アタッチメント１は、脱落することなくぴったりと被着することができるようにゴムや合成樹脂材等の弾性材料から形成されている。
【００２８】
ルアーの釣り針揺動規制用アタッチメント１をルアー本体５に被着するときには、例えば、あらかじめルアーの釣り針揺動規制用アタッチメント１をルアー本体５のリング係合用部４とリング３外方にスリット１４を挿通させて被着し、ルアーの釣り針揺動規制用アタッチメント１を上方に位置させ、または、めくりあげるようにして釣り針２をフック部材取付リング３に取り付けた後、ルアーの釣り針揺動規制用アタッチメント１を被着する。
【００２９】
図８に、本発明の第二の実施の形態を示すルアーの釣り針揺動規制用アタッチメント６を示す。このルアーの釣り針揺動規制用アタッチメント６も、疑似餌の形状に形取られたルアー本体５に取り付けられた釣り針２の回転揺動を規制するためのアタッチメントであって、図３乃至図７に示すようルアー本体５よりリング係合用部４とリング３を介して垂下するフック部材２１、フック部材２１の上方に連接する軸部２２、軸部２２上方に形成されたリング係合用輪部２３からなる回転揺動自在の釣り針２のフック部材２上方外周に被着されて、下方開口縁６３が軸部２２外周に位置するべく形成された管体からなる。
【００３０】
ルアーの釣り針揺動規制用アタッチメント６は、上方と下方が開口された筒状の管体であり、このルアーの釣り針揺動規制用アタッチメント１においては、管体の下方が管体の上方に対して小径に形成されてなり、その下部には軸部２２が挿通可能な程度に孔部６２形成されて開口している。さらに、管体上方は、ルアーの釣り針揺動規制用アタッチメント６被着時にリング係合用部４、リング３が挿通可能なスリットが形成され開口し脱着可能になっている。そして、このルアーの釣り針揺動規制用アタッチメント６は、被着時にリング係合用部４、リング３を覆いその開口縁１２が軸部２２外周に位置するように形成されている。
【００３１】
したがって、ルアーの釣り針揺動規制用アタッチメント６を釣り針２に被着したときに、ルアーの釣り針揺動規制用アタッチメント６はリング係合用部４、リング３、リング係合用輪部２３、軸部２２を覆ってその揺動が規制されるとともに開口縁６３により釣り針２の回動が規制され、集魚効果を発揮するに必要な釣り針の揺動は保持した状態で釣り針の不必要な揺動を規制することができるようになっている。尚、ルアーの釣り針揺動規制用アタッチメント６は、脱落することなくぴったりと被着することができるようにゴムや合成樹脂材等の弾性材料から形成されている。
【００３２】
ルアーの釣り針揺動規制用アタッチメント６をルアー本体５に被着するときには、例えば、あらかじめルアーの釣り針揺動規制用アタッチメント６を釣り針２に被着した状態で下方にルアー本体５のフック部材取付部４とフック部材取付リング３外方にスリット１４を挿通させて被着し、ルアーの釣り針揺動規制用アタッチメント１を上方に位置させ、釣り針２をフック部材取付リング３に取り付けた後、ルアーの釣り針揺動規制用アタッチメント６を被着する。
【００３３】
上述したように、本実施の形態においては、二種類の形状の管体からなるルアーの釣り針揺動規制用アタッチメントを示したが、管体の径や、長さはこれに限られるものではなく、ルアー本体の大きさ、釣り針の大きさ、釣り針の回転揺動を規制したい角度により調節して形成される。
【図面の簡単な説明】
【００３４】
【図１】本発明の第一の実施の形態を示すルアーの釣り針揺動規制用アタッチメントの斜視図。
【図２】図１に示すルアーの釣り針揺動規制用アタッチメントの斜視図。
【図３】図１に示すルアーの釣り針揺動規制用アタッチメントを釣り針に取り付けた状態の斜視図。
【図４】図１に示すルアーの釣り針揺動規制用アタッチメントを釣り針に取り付けた状態の斜視図
【図５】図１に示すルアーの釣り針揺動規制用アタッチメントをルアー本体に取り付けた状態の側面図。
【図６】図１に示すルアーの釣り針揺動規制用アタッチメントをルアー本体に取り付けた状態の正面図。
【図７】図１に示すルアーの釣り針揺動規制用アタッチメントをルアー本体に取り付けた状態の斜視図。
【図８】本発明の第二の実施の形態を示すルアーの釣り針揺動規制用アタッチメントの斜視図。
【図９】ルアーの側面図。
【図１０】ルアーの正面図。
【符号の説明】
【００３５】
１  ルアーの釣り針揺動規制用アタッチメント
１２開口縁
１３上端
１４スリット
２  釣り針
２１フック部材
２２軸部
２３リング係合用輪部２３
３  リング
４  リング係合用部
５  ルアー本体
６  ルアーの釣り針揺動規制用アタッチメント
【図４】
2010098961.tif 000003
【図８】
2010098961.tif 000004
【図１】
2010098961.tif 000005
【図２】
2010098961.tif 000006
【図３】
2010098961.tif 000007
【図５】
2010098961.tif 000008
【図６】
2010098961.tif 000009
【図７】
2010098961.tif 000010
【図９】
2010098961.tif 000011
【図１０】
2010098961.tif 000012